(57)【要約】【課題】光コネクタモジュールから融着接続ユニットへ引き出される中継用光ファイバコードについて、その引出し方向の変換を可能にして、施工状況の変化等で仕様変更が発生してもこれに容易に対応可能な光成端箱を提供する。【解決手段】垂直な本体ベース面３に、複数の第１の光ファイバ１５と複数の第２の光ファイバ２１とを融着する融着ユニット１１を設け、前記複数の第２の光ファイバ２１と複数の第３の光ファイバ２６とを積層状態でコネクタ接続するコネクタ接続部２５を持つ光コネクタモジュール１２を、前記融着ユニット１１の上方に設けた構成であり、そして、光コネクタモジュール１２から融着ユニット１１へ引き出される第２の光ファイバ２１の引出し方向を成端箱正面から見て左右に変換する引出し方向変換部材２２を、前記コネクタ接続部２５ａの背面側の下方位置に設けている。【選択図】図３
2008009094.tif 000002
【特許請求の範囲】
【請求項１】
垂直な本体ベース面に、複数の第１の光ファイバと複数の第２の光ファイバとを融着する融着ユニットを設け、前記複数の第２の光ファイバと複数の第３の光ファイバとを積層状態でコネクタ接続するコネクタ接続部を持つ光コネクタモジュールを、前記融着ユニットの上方に設けた光成端箱であって、
前記光コネクタモジュールから融着ユニットへ引き出される第２の光ファイバの引出し方向を成端箱正面から見て左右に変換する引出し方向変換部材を、前記コネクタ接続部の背面側の下方位置に設けたことを特徴とする光成端箱。
【請求項２】
前記引出し方向変換部材が前記第２の光ファイバを載置収納可能な、成端箱正面から見て左右方向に長い配線ダクトであることを特徴とする請求項１記載の光成端箱。
【請求項３】
前記第１の光ファイバが外線光ケーブルから取り出した外線光ファイバコードであり、前記第３の光ファイバが当該光成端箱を設置した施設内に導出される構内光ファイバコードであることを特徴とする請求項１記載の光成端箱。
【請求項４】
前記光コネクタモジュールのコネクタ接続部に接続された第３の光ファイバの余長を受ける余長受け部材を光コネクタモジュールの正面側に設けたことを特徴とする請求項１記載の光成端箱。
【発明の詳細な説明】
【技術分野】
【０００１】
この発明は、融着接続ユニット及び光コネクタモジュールを備え、外線光ケーブルを引き込んで当該光成端箱が設置される施設内に構内光ファイバコード等として導出する光成端箱に関する。
【背景技術】
【０００２】
上記の光成端箱として、積層形のコネクタ接続部を備えて中継用光ファイバコードの一端に取り付けた光コネクタを前記コネクタ接続部のアダプタに予め装着したプレ配線型の光コネクタモジュールを用いるものがある。この光成端箱では、外線光ケーブルから取り出した外線光ファイバコードと前記中継用光ファイバコードの他端とを融着接続ユニットにおいて融着接続する。そして、構内光ファイバコードは前記光コネクタモジュールのコネクタ接続部において中継用光ファイバコードとコネクタ接続する。
【０００３】
この種の従来の光成端箱において、中継用光ファイバコードの光コネクタモジュールから融着接続ユニットへの引出し方向は固定的に設定されている。
例えば、特許文献１は、光コネクタモジュールを設置したトレイを前後に可動式としかつこの可動式トレイを積層した構造であるが、光コネクタモジュールにおける中継用光ファイバコード及びこれにコネクタ接続される構内光ファイバコードの引出し方向は、光コネクタモジュールの正面から見て前面寄りの左右両側となっており、それらの左右両側に引き出された余長は、間隔をあけて結束してＳ字形又はＵ字形のコード束とし、左右両側部分に用意した余長スペース（配線用エリア）に置いている。
【０００４】
特許文献２は、可動トレイ（引き出しトレイ）に設けた光コネクタモジュールから左右両側にそれぞれ引き出される光ファイバコードを可撓性ケーブルガイドに収容した構造である。ケーブルガイドが可撓性を持つことで、可動トレイがケース本体内に収納された状態では、可撓性ケーブルガイドが可動トレイに対して立体的に収納されることになり、このため、可動トレイの背面とケース本体の背面との間に、ケーブル収納用のスペースを取る必要がなくなり、光成端箱の奥行き寸法を縮めることができる、というものである。
【特許文献１】特開２００５−０５５７４８
【特許文献２】特開２０００−２３２２７３
【発明の開示】
【発明が解決しようとする課題】
【０００５】
上記のように従来の光成端箱では、光コネクタモジュールから引き出される光ファイバコードの引き出し方向が固定されているので、例えば外線光ケーブルの導入位置を変更しなければならない等、施工状況の変化等で仕様変更が発生した場合は、仕様変更が容易に出来ないという問題があった。また、応急対策で変更することができても、配線の輻輳、大型化等で作業性、収容効率、および工数が多くかかったりする等の不都合が生じてしまうことが多かった。
【０００６】
本発明は上記事情に鑑みてなされたもので、特に光コネクタモジュールから融着接続ユニットへ引き出される中継用光ファイバコードについて、その引出し方向の変換を可能にして、施工状況の変化等で仕様変更が発生してもこれに容易に対応可能な光成端箱を提供することを目的とする。
【課題を解決するための手段】
【０００７】
上記課題を解決する本発明は、垂直な本体ベース面に、複数の第１の光ファイバと複数の第２の光ファイバとを融着する融着ユニットを設け、前記複数の第２の光ファイバと複数の第３の光ファイバとを積層状態でコネクタ接続するコネクタ接続部を持つ光コネクタモジュールを、前記融着ユニットの上方に設けた光成端箱であって、
前記光コネクタモジュールから融着ユニットへ引き出される第２の光ファイバの引出し方向を成端箱正面から見て左右に変換する引出し方向変換部材を、前記コネクタ接続部の背面側の下方位置に設けたことを特徴とする光成端箱。
【０００８】
請求項２の発明は、請求項１の光成端箱において、引出し方向変換部材が第２の光ファイバを載置収納可能な、成端箱正面から見て左右方向に長い配線ダクトであることを特徴とする。
【０００９】
請求項３の発明は、請求項１の光成端箱において、第１の光ファイバが外線光ケーブルから取り出した外線光ファイバコードであり、第３の光ファイバが当該光成端箱を設置した施設内に導出される構内光ファイバコードであることを特徴とする。
【００１０】
請求項４の発明は、請求項１の光成端箱において、光コネクタモジュールのコネクタ接続部に接続された第３の光ファイバの余長を受ける余長受け部材を光コネクタモジュールの正面側に設けたことを特徴とする。
【発明の効果】
【００１１】
本発明の光成端箱によれば、中継用光ファイバコード等の第２の光ファイバの引出し方向を変換可能な引出し方向変換部材を備えているので、当該光成端箱の施工状況の変化等で仕様変更が発生しても、引出し方向変換部材を利用して第２の光ファイバの引出し方向を変更することができ、したがって、仕様変更等に容易に対応することができる。
【発明を実施するための最良の形態】
【００１２】
以下、本発明を実施した光成端箱について、図面を参照して説明する。
【実施例１】
【００１３】
図１は本発明の一実施例の光成端箱１の正面蓋を開いた状態の正面図、図２は天板を除いて示した平面図、図３は側壁を除いて示した左側面図、図４は側壁を除いて示した右側面図である。図５及び図６は上記光成端箱の内部構造の要部を模式的に示した斜視図であるが、それぞれ異なる使用態様のものである。図５の使用態様はケーブル導入位置が光成端箱左側の場合であり、図１〜図４に示したものである。図６の使用態様はケーブル導入位置が光成端箱右側の場合であり、その場合の光成端箱１の正面図を図７、右側面図を図８に示す。
【００１４】
２は光成端箱１のケース本体である。ケース本体２は垂直な本体ベース３と、左右の側壁４、５と、正面の蓋６と、天板７と底板８とからなっている。正面蓋６はヒンジ６ａにより前面側（図２で下方）に開くことができる。
本体ベース（本体ベース面）３の下部左側に融着接続ユニット１１が設けられ、上部に、中継用光ファイバコード２１を予め配線したいわゆるプレ配線型の光コネクタモジュール１２を備えている。
外線光ケーブル１３は、ケース本体２の底板８から導入され、左側の側壁４に取付板１６を介して固定され、そのテンションメンバ１４はテンションメンバ固定板１７に固定されている。
外線光ケーブル１３から取り出された複数の外線光ファイバコード（第１の光ファイバ）１５は、融着接続ユニット１１の上部に設けたガイド１８を通して融着接続ユニット１１に導かれている。図１等においては複数の外線光ファイバコード１５を簡略化して１本の線で図示している。
【００１５】
前記光コネクタモジュール１２は、正面から見て左右方向及び上下方向に複数のアダプタ２５ａを配列してなるコネクタ接続部２５を備えた積層型の光コネクタモジュールである。この光コネクタモジュール１２のコネクタ接続部２５の背面側（図３で左方）の下方に、前記中継用光ファイバコード２１を通す左右方向に長い配線ダクト（引出し方向変換部材）２２を設けている。
前記中継用光ファイバコード２１は、一端側に取り付けた光コネクタ（図示例はＳＣ光コネクタ）２３が光コネクタモジュール１２のアダプタ２５ａに内側から装着されており、光コネクタモジュール１２のアダプタ部分（コネクタ接続部）２５の背面下方から引き出されている。中継用光ファイバコード２１の他端は融着接続ユニット１１において外線光ファイバコード１５と融着接続される。融着接続部を１９で示す。
【００１６】
２６は構内光ファイバコードであり、光コネクタモジュール１２のコネクタ接続部２５のアダプタ２５ａの外面側から装着される光コネクタ（図示例はＳＣ光コネクタ）２７を一端に取り付けており、この構内光ファイバコード２６の光コネクタ２７と中継用光ファイバコード２１の光コネクタ２３とがアダプタ２５ａにおいてコネクタ接続される。
２８は光コネクタモジュール１２にコネクタ接続された構内光ファイバコード２６を受けるトレイであり、このトレイ２８の右側端に滑らかに湾曲したコードガイド２８ａを備えている。
２９は構内光ファイバコード２６の余長を受ける余長受けである。構内光ファイバコード２６は余長受け２９から下方に垂れ下がってケース本体２の底板８から構内に導出される。３０は構内光ファイバコード２６の垂れ下がった部分を固定するコード固定部である。
【００１７】
本発明では前記配線ダクト２２を通すか、通さないかで、光コネクタモジュール１２から引き出される中継用光ファイバコード２１の引出し方向を変換することが可能とされている。
すなわち、上述の実施例のように、外線光ケーブル１３の導入位置がケース本体２の左側にある場合は、図５にも示すように、光コネクタモジュール１２のコネクタ接続部２５（アダプタ２５ａ）から背面側の下方に導かれた中継用光ファイバコード２１の束を、配線ダクト２２の右から左に通して融着接続ユニット１１の左側から融着接続ユニット１１内に導くことができる。
また、外線光ケーブル１３の導入位置がケース本体２の右側にある場合は、図６〜図８に示すように、光コネクタモジュール１２から導いた中継用光ファイバコード２１の束を、配線ダクト２２を通さないでそのまま融着接続ユニット１１の右側から融着接続ユニット１１内に導くことができる。このように、コード引出し方向を二方向に変換できる。
上記のように、中継用光ファイバコード２１の引出し方向を左右に変換することができるので、例えば外線光ケーブル１３の導入位置が変わる等のように光成端箱１の施工状況の変化等で仕様変更が発生しても、仕様変更等に容易に対応することができる。このように、光成端箱内の配線の自由度が向上し、標準の光成端箱として汎用的な使用が可能となる。
【実施例２】
【００１８】
なお、実施例では光コネクタモジュール１２がケースを有する構造でコネクタ接続部２５のアダプタ２５ａの内側部分がケース内にあるが、必ずしもケースはなくてもよい。すなわち、単に積層したアダプタ２５ａからなるコネクタ接続部２５が存在する構成の光コネクタモジュールであってもよい。
【実施例３】
【００１９】
実施例では引出し方向変換部材として、正面から見て左右に長い配線ダクト２２を設けたが、必ずしもこのような構造のものに限定されない。要するに、引出し方向を左右方向に変換可能な引出し方向変換部材が設けられ、この引出し方向変換部材を利用する場合と利用しない場合との選択が可能な構造であればよい。
また、実施例では第１の光ファイバを外線光ファイバコード１５、第２の光ファイバを中継用光ファイバコード２１、第３の光ファイバを構内光ファイバコード２６として説明したが、それらの名称ないし用途自体には特に限定されない。
【図面の簡単な説明】
【００２０】
【図１】本発明の一実施例の光成端箱の正面蓋を開いた状態の正面図である。
【図２】図１の、天板を除いて示した平面図である。
【図３】図１の、側壁を除いて示した左側面図である。
【図４】図１の、側壁を除いて示した右側面図である。
【図５】上記光成端箱の内部構造の要部を模式的に示した斜視図であり、外線光ケーブルの導入位置が光成端箱の左側であり、かつ、中継用光ファイバの光コネクタ積層モジュールからの引出し方向が、方向変換部材である配線ダクトの他端側であって、中継用光ファイバが配線ダクトを通って引き出される場合の図である。
【図６】上記光成端箱の内部構造の要部を模式的に示した斜視図であり、外線光ケーブルの導入位置が光成端箱の右側であり、かつ、中継用光ファイバの光コネクタ積層モジュールからの引出し方向が、方向変換部材である配線ダクトの一端側である場合の図である。
【図７】図６の場合における、光成端箱の正面蓋を開いた状態の正面図である。
【図８】図６の場合における、光成端箱の側壁を除いて示した右側面図である。
【符号の説明】
【００２１】
１  光成端箱
２  ケース本体
３  本体ベース
４、５  側壁
６  正面の蓋
１１  融着接続ユニット
１２  光コネクタモジュール
１３  外線光ケーブル
１４  テンションメンバ
１５  外線光ファイバコード（第１の光ファイバ）
１８  ガイド
２１  中継用光ファイバコード（第２の光ファイバ）
２２  配線ダクト（引出し方向変換部材）
２３  （中継用光ファイバコードの）光コネクタ
２５  コネクタ接続部
２５ａ  アダプタ
２６  構内光ファイバコード（第３の光ファイバ）
２７  （構内光ファイバコードの）光コネクタ
２８  トレイ
２８ａ  コードガイド
２９  余長受け
３０  余長固定部
【図１】
2008009094.tif 000003
【図２】
2008009094.tif 000004
【図３】
2008009094.tif 000005
【図４】
2008009094.tif 000006
【図５】
2008009094.tif 000007
【図６】
2008009094.tif 000008
【図７】
2008009094.tif 000009
【図８】
2008009094.tif 000010